(57)【要約】【課題】切断刃の切れ味を検出して切断刃の交換時期を知ることのできる記録媒体切断装置を提供すること。【解決手段】記録媒体Ｐを切断する切断刃５を有し、該切断刃５を前記記録媒体Ｐの幅方向に沿って移動させることによって切断を行う記録媒体切断装置において、前記記録媒体Ｐの側部Ｐａ、Ｐｂ近傍で且つ前記切断刃５による切断位置の近傍に、前記切断刃５が移動して前記記録媒体Ｐの一方の側部Ｐａ（Ｐｂ）に接した際に、該記録媒体Ｐの側部Ｐａ、Ｐｂが前記切断刃５の移動方向に沿って傾いたことを検出する検出手段８を備える。【選択図】        図１
2005059187.tif 000002
【特許請求の範囲】
【請求項１】
記録媒体を切断する切断刃を有し、該切断刃を前記記録媒体の幅方向に沿って移動させることによって切断を行う記録媒体切断装置において、前記記録媒体の側部近傍で且つ前記切断刃による切断位置の近傍に、前記切断刃が移動して前記記録媒体の一方の側部に接した際に、該記録媒体の側部が前記切断刃の移動方向に沿って傾いたことを検出する検出手段を備えたことを特徴とする記録媒体切断装置。
【請求項２】
前記検出手段は、前記切断刃による前記記録媒体の切断時の移動方向の終端側に配置され、前記記録媒体の側部を検知することによって傾いたことを検出することを特徴とする請求項１記載の記録媒体切断装置。
【請求項３】
前記検出手段は、前記切断刃による前記記録媒体の切断時の移動方向の始端側に配置され、前記記録媒体の側部を検知しなくなることによって傾いたことを検出することを特徴とする請求項１記載の記録媒体切断装置。
【発明の詳細な説明】
【技術分野】
【０００１】
本発明は、記録媒体切断装置に関し、詳しくは、切断刃の切れ味を検出することが可能な記録媒体切断装置に関する。
【背景技術】
【０００２】
ロール状の記録媒体に対して画像記録を行う記録装置では、画像記録後の記録媒体を画像毎に切断するための切断装置が設けられている。一般に、このような切断装置は、記録媒体を切断する切断刃を記録媒体の幅方向に沿って移動させることによって切断を行う構成とされている。
【０００３】
ところで、例えば長期に亘る使用等によって、切断刃の切れ味が悪くなると、記録媒体の切断時に記録媒体が切断刃の移動によってその移動方向に引っ張られ、傾いてしまう不具合が発生する。このため、従来では、記録媒体の下面をガイドするガイド板を設け、記録媒体の上面から板状部材によってガイド板に向けて押さえ付けることによって、このような記録媒体の傾きの発生を抑えるようにしている（特許文献１）。
【０００４】
しかしながら、この従来技術では、記録媒体の傾きの発生を抑えることはできるが、切断刃の切れ味そのものが改善するわけではない。従って、切断刃の切れ味が悪くなっても、更に使用を継続してしまうことにより、記録媒体の切断面の滑らかさが損なわれたり、切断時に紙粉が多く発生する問題があった。
【０００５】
このように切断面の滑らかさが損なわれることにより、ユーザーが写真のような高級感のある画像出力品を手にした際、ユーザーに不快感を与える問題がある。
【０００６】
また、紙粉は、記録媒体の記録面に付着すると、画像を汚損してしまう。特に、画像を加熱加圧して光沢を付与するための定着を行うものにあっては、紙粉が付着したままで定着すると、著しく画像品質を損なう問題があり、特に、写真のような高級感のある画像出力品を得ようとする場合には、紙粉による画像劣化は致命的欠陥となる問題があった。
【特許文献１】特開平１０−２０２５８６号公報
【発明の開示】
【発明が解決しようとする課題】
【０００７】
そこで、本発明は、切断刃の切れ味を検出して切断刃の交換時期を知ることのできる記録媒体切断装置を提供することを課題とする。
【０００８】
本発明の他の課題は、以下の記載により明らかとなる。
【課題を解決するための手段】
【０００９】
請求項１記載の発明は、記録媒体を切断する切断刃を有し、該切断刃を前記記録媒体の幅方向に沿って移動させることによって切断を行う記録媒体切断装置において、前記記録媒体の側部近傍で且つ前記切断刃による切断位置の近傍に、前記切断刃が移動して前記記録媒体の一方の側部に接した際に、該記録媒体の側部が前記切断刃の移動方向に沿って傾いたことを検出する検出手段を備えたことを特徴とする記録媒体切断装置である。
【００１０】
請求項２記載の発明は、前記検出手段は、前記切断刃による前記記録媒体の切断時の移動方向の終端側に配置され、前記記録媒体の側部を検知することによって傾いたことを検出することを特徴とする請求項１記載の記録媒体切断装置である。
【００１１】
請求項３記載の発明は、前記検出手段は、前記切断刃による前記記録媒体の切断時の移動方向の始端側に配置され、前記記録媒体の側部を検知しなくなることによって傾いたことを検出することを特徴とする請求項１記載の記録媒体切断装置である。
【発明の効果】
【００１２】
本発明によれば、切断刃の切れ味を検出して切断刃の交換時期を知ることのできる記録媒体切断装置を提供することができる。
【発明を実施するための最良の形態】
【００１３】
以下、本発明の実施の形態について図面を用いて説明する。
【００１４】
図１は、本発明に係る記録媒体切断装置を示す平面図、図２は、本発明に係る記録媒体切断装置を記録媒体の搬送方向上流側から見た状態を示す正面図、図３は、図２の(iii)−(iii)に沿う断面図である。
【００１５】
記録媒体切断装置１は、記録媒体Ｐの幅方向に沿って延び、該記録媒体Ｐの両面を挟むように対向する２つのガイド部材２、３の間に、記録媒体Ｐを通過させる通過口４が形成されており、図示しない搬送手段によって記録媒体Ｐが通過口４を通って図１の下から上方向に向けて搬送されるようになっている。
【００１６】
ここで、このような記録媒体切断装置１によって切断される記録媒体Ｐとしては、一般に、図示しない元巻から連続状に繰り出されるロール状の記録媒体が使用されるが、予め所定サイズに裁断されたシート状の記録媒体であってもよく、記録媒体切断装置１は、このようなシート状の記録媒体を画像に応じて更に切断する場合にも適用することができる。
【００１７】
図中、５は切断刃であり、ここでは円盤状に形成され、従動回転する回転刃により構成されている。かかる切断刃５は、記録媒体Ｐの幅方向に沿って設けられたガイド７に沿って、移動モータ６によって往復移動可能とされ、この往復移動に従動して回転する。そして、通過口４を通過した記録媒体Ｐが所定の位置に停止した後、この切断刃５が、移動モータ６によってガイド７に沿って一方向（本実施形態では図示右から左方向）へ移動することで、通過口４を通過した直後の位置で記録媒体Ｐの切断を行うようになっている。
【００１８】
８は記録媒体Ｐの傾きを検出するための検出手段である。この検出手段８の配設位置は、記録媒体Ｐの搬送方向の両側部Ｐａ、Ｐｂのうちの一方の側部の近傍で且つ切断刃５による切断位置の近傍に配置されていれば、切断刃５による記録媒体Ｐの切断時の移動方向の始端側（図１、図２の右端側）又は終端側（図１、図２の左端側）のいずれでもよく、また、切断刃５に対して記録媒体Ｐの搬送方向上流側又は下流側のいずれでもよいが、ここでは切断刃５による記録媒体Ｐの切断時の移動方向の終端側に配置され、記録媒体Ｐの側部Ｐｂ側を検出するようにすると共に、切断刃５の移動に支障がないように、通過口４よりも記録媒体Ｐの搬送方向下流側に配置されている。
【００１９】
検出手段８は、投光部８１とこの投光部８１からの検出光を受光する受光部８２とからなる透過型の光センサにより構成されている。この検出手段８は、受光部８２において投光部８１からの検出光が遮られて検知しなくなることによって検出信号を発生するようになっており、記録媒体Ｐが通過口４を通過した状態では、記録媒体Ｐの側部Ｐｂは投光部８１から受光部８２に向かう検出光を遮っておらず、何ら検出手段８は検出信号を発生しない。また、切断動作の開始により切断刃５が図示右から左方向に移動開始して記録媒体Ｐを切断する際、上記切断刃５が十分な切れ味を有している場合にも、記録媒体Ｐはその一方の側部Ｐａから他方の側部Ｐｂに向けてほとんど抵抗なく、滑らかな切断面をもって切断されるため、記録媒体Ｐの幅方向、すなわち切断刃５の移動方向に沿う記録媒体Ｐのずれによる傾きは発生しない。
【００２０】
ここで、例えば長期に亘る使用等によって切断刃５の切れ味が低下すると、切断刃５は記録媒体Ｐの切断時に大きな抵抗を生じ、これにより、切断刃５が図示右から左方向に移動して記録媒体Ｐの一方の側部Ｐａに最初に接した際に、図１において斜線領域で示すように、記録媒体Ｐの他方の側部Ｐｂが切断刃５の移動方向に沿ってずれ、記録媒体Ｐにその幅方向に沿った傾きを発生させる。このとき、記録媒体Ｐの側部Ｐｂが検出手段８の検出光を遮り、このずれによる記録媒体Ｐの傾きの発生を検出する。
【００２１】
従って、この検出手段８による記録媒体Ｐの傾きの発生の検出により、切断刃５の切れ味の低下を検出することができる。このようにして検出手段８が切断刃５の切れ味の低下を検出した後は、その検出信号に基づいて警報ランプの点灯、警告音の発生、警告の表示等を行うことにより、オペレータに報知させ、切断刃５の交換を促すようにすることができる。
【００２２】
以上説明した実施形態では、検出手段８は、切断刃５による記録媒体Ｐの切断時の移動方向の終端側に配置したが、特にこれに限定されるわけではなく、切断刃５による記録媒体Ｐの切断時の移動方向の始端側において、通常時においては記録媒体Ｐの側部Ｐａを検知するように配置させておき、切断刃５による切断時に記録媒体Ｐの側部Ｐａがずれて検出範囲を外れることによって記録媒体Ｐの側部Ｐａが検知されなくなるようにすることによって、記録媒体Ｐが傾いたことを検出するようにしてもよい。
【００２３】
また、検出手段８は、以上説明した透過型の光センサに限らず、投光部からの光が記録媒体Ｐの表面で反射した反射光を受光部によって受光することで記録媒体Ｐの側部Ｐａ又はＰｂの検出を行う反射型の光センサであってもよい。
【００２４】
更に、検出手段８は、このような非接触型のセンサにより構成されるものに限らず、例えば記録媒体Ｐが傾いた際に該記録媒体Ｐの側部Ｐａ又はＰｂと接触することによって、或いは記録媒体Ｐが傾いた際に該記録媒体Ｐの側部Ｐａ又はＰｂとの接触が解除されることによって、該記録媒体Ｐの傾きの有無を検出するように構成される接触型のセンサであってもよい。
【図面の簡単な説明】
【００２５】
【図１】本発明に係る記録媒体切断装置を示す平面図
【図２】本発明に係る記録媒体切断装置を記録媒体の搬送方向上流側から見た状態を示す正面図
【図３】図２の(iii)−(iii)に沿う断面図
【符号の説明】
【００２６】
１：記録媒体切断装置
２、３：ガイド部材
４：通過口
５：切断刃
６：移動モータ
７：ガイド
８：検出手段
８１：投光部
８２：受光部
Ｐ：記録媒体
Ｐａ、Ｐｂ：側部
【図１】
2005059187.tif 000003
【図２】
2005059187.tif 000004
【図３】
2005059187.tif 000005